(57)【要約】  本願明細書に記載の実施形態は、概して、ユーザ機器（ＵＥ）とｅＮＢ（ｅｖｏｌｖｅｄ  Ｎｏｄｅ  Ｂ）との間の通信に関する。ＵＥとｅＮＢは、１又は複数のシステム情報ブロック（ＳＩＢ）、ランダムアクセス応答（ＲＡＲ）メッセージ、又はページングメッセージのような１又は複数の共通制御メッセージのスケジューリングのために、拡張物理ダウンリンク制御チャネル（ＥＰＤＣＣＨ）−ｌｅｓｓ動作を実行しても良い。追加又は代替で、ｅＮＢは、物理ダウンリンク制御チャネル（ＰＤＣＣＨ）又は拡張ＰＤＣＣＨ（ＥＰＤＣＣＨ）を受信するために使用すべきＵＥの探索空間のアグリゲーションレベルサブセットを構成しても良い。他の実施形態が開示され及び／又は請求される。
2017528980.tif 000002
【特許請求の範囲】
【請求項１】
ユーザ機器（ＵＥ）において用いられる装置であって、前記装置は、
無線周波数（ＲＦ）回路に、無線通信ネットワークを介してｅＮＢ（ｅｖｏｌｖｅｄ  Ｎｏｄｅ  Ｂ）と通信させる通信回路と、
前記通信回路に結合される制御回路であって、
前記通信回路を介して、システム情報ブロック（ＳＩＢ）の物理ダウンリンク共有チャネル（ＰＤＳＣＨ）の時間及び周波数リソースを示すためにスケジューリング情報を含む物理ブロードキャストチャネル（ＰＢＣＨ）でマスタ情報ブロック（ＭＩＢ）を受信し、
前記スケジューリング情報に基づき、前記ＰＤＳＣＨの前記時間及び周波数リソースの中で前記ＳＩＢを受信する、
制御回路と、
を有する装置。
【請求項２】
前記ＳＩＢは第１のＳＩＢであり、前記時間及び周波数リソースは、第１の時間及び周波数リソースであり、前記第１のＳＩＢは、第２のＳＩＢのための第２の時間及び周波数リソースを示すためのスケジューリング情報を含み、前記制御回路は、さらに、前記第２のＳＩＢの前記スケジューリング情報に基づき、前記第２の時間及び周波数リソースの中で前記第２のＳＩＢを受信する、請求項１に記載のＵＥ。
【請求項３】
前記ＭＩＢ、ＳＩＢ又は別のＳＩＢは、ランダムアクセス応答（ＲＡＲ）又はページングメッセージのための時間及び周波数リソースを少なくとも部分的に示すための情報を含み、前記制御回路は、前記情報に基づき前記ＲＡＲリソース又はページングメッセージを利用する、請求項１に記載のＵＥ。
【請求項４】
前記制御回路は、前記通信回路を介して、共通探索空間において拡張物理ダウンリンク制御チャネル（Ｅ）ＰＤＣＣＨを受信し、前記（Ｅ）ＰＤＣＣＨは、ランダムアクセス応答（ＲＡＲ）リソース又はページングメッセージをスケジューリングするための情報を含む、請求項１に記載のＵＥ。
【請求項５】
前記ＵＥは、機械型通信（ＭＴＣ）ＵＥである、請求項１に記載のＵＥ。
【請求項６】
前記受信したＳＩＢは、前記ＳＩＢの第１のインスタンスであり、前記制御回路は、さらに、
前記ＳＩＢの第２のインスタンスを受信し、チェイス結合又はインクリメンタル冗長度送信を用いて、前記ＳＩＢの前記第１及び第２のインスタンスに基づき、前記ＳＩＢを復号する、
請求項１乃至５のいずれか一項に記載のＵＥ。
【請求項７】
前記制御回路は、さらに、前記制御回路が前記ＳＩＢを復号するためにチェイス結合又はインクリメンタル冗長度送信を使用すべきか否かを示す指示子を受信する、請求項６に記載のＵＥ。
【請求項８】
前記指示子は、冗長度バージョンパターンを含む、請求項６に記載のＵＥ。
【請求項９】
前記スケジューリング情報は、前記ＳＩＢの送信のために使用されるサブフレームのビットマップ、前記ＳＩＢの開始サブフレーム、前記ＳＩＢの周期、前記ＳＩＢの周波数位置、前記ＳＩＢのために使用されるべき多重化及び符号化方式（ＭＣＳ）、又は前記ＳＩＢの繰り返し送信の構成を含む、請求項１に記載のＵＥ。
【請求項１０】
格納された命令を有する１又は複数の非一時的コンピュータ可読媒体であって、前記命令は、実行されると、ｅＮＢ（ｅｖｏｌｖｅｄ  Ｎｏｄｅ  Ｂ）に、
ランダムアクセス応答（ＲＡＲ）メッセージ又はページングメッセージのための無線通信ネットワークの時間及び周波数リソースを決定させ、
前記ＲＡＲメッセージ又はページングメッセージのための前記時間及び周波数リソースを少なくとも部分的に示す情報を含むシステム情報ブロック（ＳＩＢ）を生成させ、
ユーザ機器（ＵＥ）が前記ＲＡＲメッセージ又はページングメッセージを使用できるように、前記ＵＥに前記ＳＩＢを送信させる、
１又は複数の非一時的コンピュータ可読媒体。
【請求項１１】
前記ＳＩＢはＳＩＢ２である、請求項１０に記載の１又は複数の媒体。
【請求項１２】
前記命令は、実行されると、さらに、前記ｅＮＢに、前記ＵＥへの前記ＳＩＢの繰り返し送信をさせる、請求項１０に記載の１又は複数の媒体。
【請求項１３】
前記命令は、実行されると、さらに、前記ｅＮＢに、前記ＵＥが前記ＳＩＢを復号するためにチェイス結合又はインクリメンタル冗長度送信を使用すべきか否かを示す指示子を送信させる、請求項１２に記載の１又は複数の媒体。
【請求項１４】
前記命令は、実行されると、さらに、前記ｅＮＢに、前記ＳＩＢの前記繰り返し送信に関連付けられる冗長度バージョンパターンを送信させる、請求項１２に記載の１又は複数の媒体。
【請求項１５】
前記時間及び周波数リソースは、第１の時間及び周波数リソースであり、前記命令は、実行されると、さらに、前記ｅＮＢに、前記ＳＩＢ又は別のＳＩＢのための第２の時間及び周波数リソースを少なくとも部分的に示すスケジューリング情報を含むマスタ情報ブロック（ＭＩＢ）を送信させる、請求項１０乃至１４のいずれか一項に記載の１又は複数の媒体。
【請求項１６】
格納された命令を有する１又は複数の非一時的コンピュータ可読媒体であって、前記命令は、実行されると、ユーザ機器（ＵＥ）に、
システム情報ブロック（ＳＩＢ）、ランダムアクセス応答（ＲＡＲ）メッセージ、又はページングメッセージのための、ＰＤＳＣＨの中の時間及び周波数リソースを、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連する通信の種類、のうちの１又は複数に少なくとも部分的に基づき、決定させ、
前記決定された時間及び周波数リソースの中の前記ＳＩＢ、ＲＡＲメッセージ、又はページングメッセージを監視させる、
１又は複数の非一時的コンピュータ可読媒体。
【請求項１７】
前記命令は、実行されると、さらに、前記ＵＥに、前記時間及び周波数リソースに関連付けられた前記通信の種類に基づき、前記時間及び周波数リソースの時間位置を決定させ、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連付けられた通信の種類に基づき、前記時間及び周波数リソースの周波数位置を決定させる、請求項１６に記載の１又は複数の媒体。
【請求項１８】
前記通信の種類はＳＩＢ型である、請求項１７に記載の１又は複数の媒体。
【請求項１９】
前記通信の種類はＲＡＲメッセージ型である、請求項１７に記載の１又は複数の媒体。
【請求項２０】
前記通信の種類はページングメッセージ型である、請求項１７に記載の１又は複数の媒体。
【請求項２１】
前記命令は、実行されると、前記ＵＥに、前記ＳＩＢ、ＲＡＲメッセージ、又はページングメッセージの繰り返し送信を獲得させる、請求項１６乃至２０のいずれか一項に記載の１又は複数の媒体。
【請求項２２】
ｅＮＢ（ｅｖｏｌｖｅｄ  Ｎｏｄｅ  Ｂ）において用いられる装置であって、前記装置は、
無線周波数（ＲＦ）回路に、無線通信ネットワークを介してユーザ機器（ＵＥ）と通信させる通信回路と、
前記通信回路に結合される制御回路であって、
拡張物理ダウンリンク制御チャネル（ＥＰＤＣＣＨ）を送信するために使用されるアグリゲーションレベルセットを識別し、
ユーザ機器（ＵＥ）について、前記アグリゲーションレベルセットからアグリゲーションレベルサブセットを決定し、
前記通信回路を介して、前記アグリゲーションレベルサブセットのアグリゲーションレベルに関連付けられたＥＰＤＣＣＨで、前記ＵＥへＥＰＤＣＣＨを送信する、
制御回路と、
を有する装置。
【請求項２３】
前記制御回路は、前記ＵＥへ前記通信回路を介して、前記アグリゲーションレベルサブセットを示す構成情報を送信する、請求項２２に記載のｅＮＢ。
【請求項２４】
前記制御回路は、前記ＵＥに関連する位置又は受信信号受信電力経路損失測定レポートに基づき、前記アグリゲーションレベルサブセットを決定する、請求項２２に記載のｅＮＢ。
【請求項２５】
前記ＵＥは、機械型通信ＵＥである、請求項２２乃至２４のいずれか一項に記載のｅＮＢ。
【発明の詳細な説明】
【技術分野】
【０００１】
［関連出願の参照］
本願は、３５Ｕ．Ｓ．Ｃ．§１１９（ｅ）の下で、米国仮特許出願番号第６２／０５５５１５、名称「ON  THE  TRANSMISSION  OF  COMMON  CONTROL  MESSAGES  FOR  MTC  UES  WITH  REDUCED  BANDWIDTH」、２０１４年９月２５日出願の優先権を主張する。この仮出願の開示は、参照により本願明細書に組み込まれる。
【０００２】
技術分野
本発明の実施形態は、データ処理の技術分野に関し、より詳細には、ネットワークに渡りデータを通信するよう動作可能なコンピュータ装置に関する。
【背景技術】
【０００３】
ここで提供される背景技術の記載は、本開示のコンテキストを概略的に提示することを目的とする。現在名前を挙げられている発明者の研究により、この背景技術の章の記載、及びその他の場合に出願時の従来技術として資格のない場合のある記載の諸相という点で、明示的にも暗黙的にも本開示に対する従来技術として認められない。本願明細書に特に示されない限り、この章に記載されるアプローチは、本開示の請求項に対する従来技術ではなく、この章に含まれることにより従来技術と見なされるものではない。
【０００４】
機械型通信（Machine−type  communication：ＭＴＣ）は、「Internet  of  Things」（ＩｏＴ）の概念に向かうユビキタスコンピューティング環境を可能にし得る技術である。潜在的なＭＴＣに基づくアプリケーションは、スマート計測、ヘルスケア監視、リモートセキュリティ監視、知的輸送システム、等を含む。これらのサービス及びアプリケーションは、現在の及び将来の世代のモバイルブロードバンドネットワークにシームレスに統合され得る新たな種類のＭＴＣ装置の設計及び開発を促進し得る。
【０００５】
既存のモバイルブロードバンドネットワークは、主に人間−機械通信のために性能を最適化するよう設計される。したがって、既存のネットワークは、ＭＴＣ関連要件に対して適応又は最適化されない場合がある。ＭＴＣ詳細設計は、例えば、３ＧＰＰ（３rd  Generation  Partnership  Project）により研究され得る。将来の３ＧＰＰ仕様は、ＭＴＣ型通信を向上できる異なるネットワーク設計をサポートし得る。
【図面の簡単な説明】
【０００６】
本発明の実施形態は、例を用いて説明され、添付の図面の図に限定されるものではない。図中、同様の参照符号は同様の要素を表すために用いられる。本開示の中の本発明の「一（an）」又は「１つの（one）」実施形態への言及は、必ずしも同一の実施形態ではなく、それらは少なくとも１つを意味し得ることに留意すべきである。
【図１】種々の実施形態による、ｅＮＢ（ｅｖｏｌｖｅｄ  Ｎｏｄｅ  Ｂ）及びユーザ機器（ＵＥ）を含む無線通信環境を示すブロック図である。
【図２】種々の実施形態による、ＵＥにより実行され得るＥＰＤＣＣＨ−ｌｅｓｓ動作のための方法を示すフロー図である。
【図３】種々の実施形態による、ｅＮＢにより実行され得るＥＰＤＣＣＨ−ｌｅｓｓ動作のための方法を示すフロー図である。
【図４】種々の実施形態による、ＵＥにより実行され得るＥＰＤＣＣＨ−ｌｅｓｓ動作のための別の方法を示すフロー図である。
【図５】種々の実施形態による、ＵＥのためのＰＤＣＣＨ又はＥＰＤＣＣＨ送信のアグリゲーションレベルサブセットを構成するために、ｅＮＢにより実行され得る方法を示すフロー図である。
【図６】種々の実施形態による、無線通信ネットワークにおいて動作するよう適応されるコンピューティング装置を示すブロック図である。
【発明を実施するための形態】
【０００７】
以下の詳細な説明では、その一部を形成する添付の図面が参照される。図中、同様の参照符号は同様の部分を示す。添付の図面は実行されうる説明のための実施形態として示される。他の実施形態が利用されてもよく、構造的又は論理的変化が本開示の範囲から逸脱することなく行われてもよいことが理解されるべきである。したがって、以下の詳細な説明は限定的意味と考えられるのではなく、実施形態の範囲は特許請求の範囲及びその等価物によって定められる。
【０００８】
種々の動作は、請求される主題を理解するのに最も有用である方法で、複数の別個の作用又は動作として記載できる。
【０００９】
しかしながら、記載の順序は、これらの動作が必ず順序に依存することを意味すると考えられてはならない。特に、これらの動作は、提示の順序で実行されなくても良い。記載の動作は、記載の実施形態と異なる順序で実行されても良い。追加の実施形態において、種々の追加動作が実行されても良く、及び／又は記載の動作が省略されても良い。
【００１０】
本開示の目的のために、表現「Ａ又はＢ」及び「Ａ及び／又はＢ」は、「Ａ」、「Ｂ」、又は「Ａ及びＢ」を意味する。本開示の目的のために、表現「Ａ、Ｂ及び／又はＣ」は、（Ａ）、（Ｂ）、（Ｃ）、（Ａ及びＢ）、（Ａ及びＣ）、（Ｂ及びＣ）又は（Ａ、Ｂ及びＣ）を意味する。
【００１１】
説明は、「一実施形態では」又は「実施形態では」という表現を用いうる。これらは同一の又は異なる実施形態のうちの１又は複数を表しうる。更に、用語「有する（comprising、including、having）」等は、本開示の実施形態に関連して用いられるとき、同義である。
【００１２】
本願明細書で用いられるとき、用語「モジュール」及び／又は「ロジック」は、１又は複数のソフトウェア若しくはフォームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含んでも良い。
【００１３】
本願明細書で用いられるように、用語「回路」は、１又は複数のソフトウェア若しくはフォームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含んでも良い。幾つかの実施形態では、１又は複数のソフトウェア又はファームウェアモジュールに、回路が実装されても良く、或いは、回路に関連する関数が実装されても良い。
【００１４】
図１は、種々の実施形態による、無線通信環境１００を概略的に示す。環境１００は、ｅＮＢ（ｅｖｏｌｖｅｄ  Ｎｏｄｅ  Ｂ）１０４のようなアクセスノードと無線通信するＵＥ１０８を有しても良い。ｅＮＢ１０４は、３ＧＰＰ（３rd  Generation  Partnership  Project）ＬＴＥ（long−term  evolution）ネットワーク（又はＬＴＥ−Ａ（LTE−Advanced）ネットワーク）の部分であっても良い。特に、ｅＮＢ１０４は、Ｅ−ＵＴＲＡＮ（evolved  universal  terrestrial  radio  access  network）のようなＬＴＥ／ＬＴＥ−Ａネットワークの無線アクセスネットワーク（ＲＡＮ）の部分であっても良い。ｅ−ＵＴＲＡＮは、ＥＰＣ（Evolved  Packet  Core）のようなコアネットワークに結合されても良い。ＥＰＣは、ＬＴＥ／ＬＴＥ−Ａネットワークの種々の管理及び制御機能を実行し、さらに、種々のＲＡＮと他のネットワークとの間の通信インタフェースを提供する。
【００１５】
ｅＮＢ１０４は、１又は複数のアンテナ１１６を介してＵＥ１０８からアップリンク送信を受信し且つ１又は複数のアンテナ１１６を介してＵＥ１０８へダウンリンク送信を送信する通信回路１１２を有しても良い。ｅＮＢ１０４は、通信回路１１２に結合される制御回路１２０も有しても良い。実施形態において、制御回路１２０は、ＵＥ１０８とｅＮＢ１０４との間で通信される信号の中で送信される情報を復号化及び符号化するよう構成されても良い。
【００１６】
ＵＥ１０８は、通信回路１２４、制御回路１２８、及び１又は複数のアンテナ１３２を有しても良い。通信回路１２４は、ｅＮＢ１０４からのダウンリンク送信を受信し及びｅＮＢ１０４へのアップリンク送信を送信するために、１又は複数のアンテナ１３２に結合されても良い。制御回路１２８は、通信回路１２４に結合されても良く、ＵＥ１０８とｅＮＢ１０４との間で通信される信号の中で送信される情報を復号化及び符号化するよう構成されても良い。制御回路１２８は、以下に記載する処理の任意の部分を実行するよう更に構成されても良い。
【００１７】
ＵＥ１０８は、ブロードバンド回路を備え及び例えば１又は複数の３ＧＰＰ技術仕様に従い無線通信ネットワークのセルで動作するよう適応される任意の種類のコンピューティング装置であっても良い。無線セルは、ｅＮＢ１０４により提供されても良い。実施形態では、ＵＥ１０８は、機械型通信（machine-type  communication：ＭＴＣ）のために適応されても良い。例えば、ＵＥ１０８は、スマート計測装置、支払い装置（例えば、「都度払い（pay−as−you−drive）」装置）、自動販売機、テレマティクスシステム（例えば、車両の追尾及び追跡のために適応されるシステム）、家電機器、セキュリティシステム（例えば、監視装置）、等のような、人間型通信（human−type  communications：ＨＴＣ）（例えば、音声呼、テキスト／インスタントメッセージング、ウェブブラウジング）に主に適応されていないコンピューティング装置であっても良い。
【００１８】
種々の実施形態において、ｅＮＢ１０４とＵＥ１０８との間の通信の送信帯域幅は、ＭＴＣ  ＵＥである及び／又は拡張カバレッジモードであるＵＥ１０８の場合に、ＨＴＣ  ＵＥの場合より少ないことがある（例えば、ＵＥがセル端に又はその近くに位置するとき（例えば、複雑性の低減によりその能力が低下させられることにより）粗悪なリンク状態を経験する、又は、建物の内部深くに（例えば、スマート計器型の用途では地下室に）存在する結果、有意な建物侵入損失を経験する）。低減した帯域幅は、データチャネル及び／又は制御チャネルに適用できる。幾つかの実施形態では、低減した帯域幅を有するＭＴＣ  ＵＥであるＵＥ１０８の通信のための送信帯域幅は、１．４メガヘルツ（ＭＨｚ）であっても良い。
【００１９】
既存のネットワークでは、共通探索空間を有する物理ダウンリンク制御チャネル（ＰＤＣＣＨ）は、システム情報ブロック（ＳＩＢ）、ランダムアクセス応答（ＲＡＲ）メッセージ、及び／又はパージングメッセージのような共通制御メッセージの送信をスケジューリングするために利用できる。代替で、共通探索空間は、共通制御メッセージの送信をスケジューリングするために拡張ＰＤＣＣＨ（ＥＰＤＣＣＨ）に基づく、ＵＥのための物理ダウンリンクチャネルのために定義できる。共通制御メッセージは、複数のＵＥへ送信されても良い。共通制御メッセージの送信がセル端ＵＥをサポートする必要がある場合、高アグリゲーションレベル、例えば、２８８個のリソースエレメント（ＲＥ）を有する８個の制御チャネル要素（control  channel  element：ＣＣＥ）を含むアグリゲーションレベル又は５７６個のＲＥを有する１６個のＣＣＥが、ＥＰＤＣＣＨ送信のために使用されても良い。この場合、ＰＤＣＣＨのための少なくとも５個の直交周波数分割多重（orthogonal  frequency  division  multiplexing：ＯＦＤＭ）シンボル、又は共通探索空間を有するＥＰＤＣＣＨのための３個の物理リソースブロック（physical  resource  block：ＰＲＢ）が、割り当てられたＭＴＣリソースの中で必要である。したがって、ＰＤＣＣＨ又はＥＰＤＣＣＨの送信は、シンボルレベルで大量の制御オーバヘッド、及び低減した帯域幅を有するＭＴＣ  ＵＥ又はカバレッジ拡張を操作するＵＥの電力消費の増大を生じ得る。
【００２０】
種々の実施形態では、ＵＥ１０８とｅＮＢ１０４は、１又は複数のシステム情報ブロック（ＳＩＢ）、ＲＡＲメッセージ送信、及び／又はページングメッセージのような１又は複数の共通制御メッセージのスケジューリングのために、拡張物理ダウンリンク制御チャネル（ＥＰＤＣＣＨ）−ｌｅｓｓ動作を使用しても良い。ＥＰＤＣＣＨ−ｌｅｓｓ動作では、１又は複数の共通制御メッセージは、ＰＤＣＣＨ又はＥＰＤＣＣＨを使用しないでスケジューリングできる。例えば、共通制御メッセージのための（例えば、物理ダウンリンク共有チャネル（ＰＤＳＣＨ）の）時間及び周波数リソースを示すｅＮＢスケジューリング情報は、ｅＮＢ１０４によりＵＥ１０８へ送信されるマスタ情報ブロック（ＭＩＢ）又はＳＩＢに含まれても良い。共通制御メッセージは、ｅＮＢ１０４により、ＰＤＳＣＨのような物理ダウンリンクチャネルで送信されても良い。
【００２１】
例えば、幾つかの実施形態では、ＵＥ１０８は、ｅＮＢ１０４から物理ブロードキャストチャネル（ＰＢＣＨ）でＭＩＢを受信しても良い。ＭＩＢは、ＳＩＢのためのＰＤＳＣＨの時間及び周波数リソースを示すスケジューリング情報を含んでも良い。ＵＥの制御回路１２８は、スケジューリング情報に基づき、（例えば、通信回路１２４及びアンテナ１３２を介して）ＰＤＳＣＨの時間及び周波数リソースの中でＳＩＢを受信しても良い。幾つかの実施形態では、ＳＩＢはＳＩＢ１であっても良い。
【００２２】
幾つかの実施形態では、ＳＩＢは、別のＳＩＢのための別の時間及び周波数リソースを示すスケジューリング情報を含んでも良い。ＵＥ１０８の制御回路１２８は、更なるスケジューリング情報に基づき、他の時間及び周波数リソースの中で他のＳＩＢを受信しても良い。例えば、幾つかの実施形態では、ＭＩＢはＳＩＢ１のためのスケジューリング情報を含んでも良く、ＳＩＢ１はＳＩＢ２のためのスケジューリング情報を含んでも良い。幾つかの実施形態では、ＳＩＢ１は、１又は複数の更なるＳＩＢ（例えば、ＳＩＢ３、ＳＩＢ４）のためのスケジューリング情報を更に含んでも良い。代替又は追加で、ＳＩＢ２又は別のＳＩＢは、１又は複数の更なるＳＩＢ（例えば、ＳＩＢ３、ＳＩＢ４、等）のためのスケジューリング情報を含んでも良い。
【００２３】
幾つかの実施形態では、拡張カバレッジの中のＭＴＣ  ＵＥ及び／又はＵＥへ送信されるＳＩＢは、他のＵＥ（例えば、通常カバレッジの中のＨＴＣ  ＵＥ）へ送信されるＳＩＢと異なっても良い。
【００２４】
種々の実施形態では、ＭＩＢ、ＳＩＢ（例えば、ＳＩＢ１、ＳＩＢ２、又は別のＳＩＢ）は、ランダムアクセス応答（ＲＡＲ）メッセージ又はページングメッセージのための時間及び周波数リソースを示すスケジューリング情報を含んでも良い。例えば、一実施形態では、ＲＡＲメッセージ及び／又はページングメッセージのためのスケジューリング情報は、ＳＩＢ２に含まれても良い。制御回路１２８は、該情報に基づきＲＡＲメッセージ又はページングメッセージで通信しても良い。
【００２５】
種々の実施形態では、共通制御メッセージ（例えば、ＳＩＢ、ＲＡＲメッセージ、ページングメッセージ）のためにＵＥ１０８に示されるスケジューリング情報は、共通制御メッセージの送信のために使用されるサブフレームのビットマップ、（例えば、システムフレーム番号（ＳＦＮ）０に対する）共通制御メッセージの開始サブフレーム、共通制御メッセージの周期、共通制御メッセージの周波数位置、変調及び符号化方式（modulation  and  coding  scheme：ＭＣＳ）、及び／又は共通制御メッセージの繰り返し送信に関連する構成情報（以下に更に説明する）、のうちの１又は組合せを含んでも良い。
【００２６】
幾つかの実施形態では、ＲＡＲメッセージのために、物理ランダムアクセス応答（ＰＲＡＣＨ）送信と対応するＲＡＲメッセージとの間の固定タイミングギャップが、ＵＥ１０８によるＲＡＲメッセージの効率的な復号化を実現するために、スケジューリング情報に含まれても良い。追加又は代替で、幾つかの実施形態では、ＳＩＢ送信の周波数位置は、ＲＡＲメッセージ及び／又はページングメッセージの周波数位置と異なっても良い。異なる周波数は、ｅＮＢ１０４にスケジューリングの柔軟性を提供できる。幾つかの実施形態では、スケジューリング情報は、ＲＡＲメッセージ又はページングメッセージが送信され得る時間及び周波数リソースのウインドウ（例えば、サブフレームセット）を示しても良い。ＵＥ１０８は、ＲＡＲメッセージ又はページングメッセージのための時間及び周波数リソースのウインドウを監視しても良い。ＵＥ１０８は、ＲＡＲメッセージ又はページングメッセージをウインドウの中で検出した場合、それを復号化しても良い。
【００２７】
種々の実施形態では、ＵＥ１０８及びｅＮＢ１０４のＥＰＤＣＣＨ−ｌｅｓｓ動作は、共通の探索空間を有するＰＤＣＣＨ及び／又はＥＰＤＣＣＨがＵＥ１０８にリソースをスケジューリングするために使用される代替技術と比べて、ＵＥ１０８の制御オーバヘッドを削減できる。一実施形態では、レガシーデータ領域の中の全てのリソースは、共通制御メッセージの送信のために割り当てられる。
【００２８】
代替で、幾つかの実施形態では、ＳＩＢ、ＲＡＲメッセージ、及び／又はページングメッセージは、所定の方法で、時間及び／又は周波数領域に位置付けられても良い。したがって、ＳＩＢ、ＲＡＲメッセージ、及び／又はページングメッセージのためのスケジューリング情報は予め定められても良い。例えば、時間及び／又は周波数一は、少なくとも部分的に、物理セルＩＤ、システムフレーム番号（ＳＦＮ）、サブフレーム番号、スロット番号、対応する無線ネットワーク一時的識別子（ＲＮＴＩ）（例えば、ＳＩＢのためのＳＩ−ＲＮＴＩ、ＲＡＲのためのＲＡ−ＲＮＴＩ、ページングのためのＰ−ＲＮＴＩ）、又は時間及び周波数リソースに関連付けられる通信の種類により決定されても良い。通信の種類は、例えば、ＳＩＢ、ＲＡＲ、又はページング送信であっても良い。例えば、幾つかの実施形態では、タイプ識別子が、リソース位置を決定するために使用されても良い。ここで、タイプ識別子は、ＳＩＢのための第１の値（例えば０）、ＲＡＲメッセージのための第２の値（例えば１）、又はページングメッセージのための第３の値（例えば２）を有する。幾つかの実施形態では、時間位置（例えば、ＳＦＮ、スロット番号、サブフレーム番号）は、メッセージの種類（例えば、ＳＩＢ、ＲＡＲ、ページング）に従い予め定められても良く、周波数位置は、上記の列挙されたパラメータのうちの１又は複数により決定されても良い。
【００２９】
幾つかの実施形態では、ＥＰＤＣＣＨは、幾つかの共通の制御メッセージをスケジューリングするために使用されても良いが、その他のものには用いられなくても良い。例えば、ＥＰＤＣＣＨ−ｌｅｓｓ動作は、ＳＩＢ送信をスケジューリングするために使用されても良く、一方で、共通探索空間を有するＥＰＤＣＣＨは、ＲＡＲ及び／又はページング送信をスケジューリングするために使用されても良い。
【００３０】
幾つかの実施形態では、ｅＮＢ１０４は、複数のサブフレームに渡り、共通制御メッセージ（例えば、ＳＩＢ、ＲＡＲメッセージ、及び／又はページングメッセージ）の送信を繰り返しても良い。ｅＮＢ１０４は、例えば、繰り返し送信のためにチェイス結合又はインクリメンタル冗長度送信を使用しても良い。インクリメンタル冗長度送信が使用される場合、冗長度バージョン（redundancy  version：ＲＶ）は、復号化性能を向上するために、より上位のレイヤ又はレイヤ１シグナリングにより、ＵＥに知らせられても良い。
【００３１】
幾つかの実施形態では、共通制御メッセージの繰り返し送信のためのチェイス結合又はインクリメンタル冗長度送信の使用は、予め定められても良い。冗長度バージョンも予め定められても良い。一例では、所定の冗長度バージョンパターン［０，２］は、２回の繰り返し送信を有するインクリメンタル冗長度送信のために使用されても良い。追加又は代替で、４回の繰り返し送信を有するインクリメンタル冗長度送信のために、所定のＲＶパターン［０２１３］又は［０２３１］が使用されても良い。
【００３２】
代替で、ＵＥ１０８は、制御回路１２８が共通制御メッセージを復号化するためにチェイス結合又はインクリメンタル冗長度送信を使用すべきかを示す指示子を（例えば、ｅＮＢ１０４から）受信しても良い。幾つかの実施形態では、指示子は、より上位のレイヤ（例えば、ＳＩＢで、専用無線リソース制御（ＲＲＣ）メッセージで、又はＰＤＣＣＨ若しくはＥＰＤＣＣＨにより伝達されるレイヤ１動的シグナリングを介して）送信されても良い。追加又は代替で、ＵＥ１０８は、インクリメンタル冗長度送信のために使用されるべき冗長度バージョンパターンを示すＲＶ指示子を受信しても良い。
【００３３】
別の実施形態では、冗長度バージョンパターンは、チェイス結合又はインクリメンタル冗長度送信が使用されるかの指示ではなく、直接的に予め定められるか、又はより上位レイヤのシグナリングにより設定されても良い。ＵＥ１０８は、冗長度バージョンパターンに基づき、繰り返し送信のためにチェイス結合又はインクリメンタル冗長度が使用されるかを決定しても良い。例えば、冗長度バージョンパターン［００］は、チェイス結合が使用されることを示しても良い。一方で、冗長度バージョンパターン［０１］は、インクリメンタル冗長度送信が使用されることを示しても良い。
【００３４】
追加又は代替で、共通制御メッセージの繰り返し送信のために使用されるサブフレームの数は、予め定められても良く、又はより上位レイヤのシグナリングを用いてＵＥ１０８のためにｅＮＢ１０４により設定されても良い。さらに、幾つかの実施形態では、繰り返し送信は、（例えば、共通制御メッセージのＴＢＳに基づき）他のものではなく、幾つかの共通制御メッセージのために使用されても良い。例えば、幾つかの実施形態では、ｅＮＢ１０４は、ＵＥ１０８にＳＩＢを送信するために繰り返し送信を使用しても良いが、ＲＡＲ及び／又はページングメッセージのために繰り返し送信を使用してはならない。
【００３５】
幾つかの実施形態では、ｅＮＢ１０４は、リンクレベル性能を更に向上するために、繰り返し送信と関連して周波数ホッピングを使用しても良い。例えば、ｅＮＢ１０４は、繰り返し送信の異なる反復を送信するために、異なる周波数を使用しても良い（例えば、ＳＩＢの第１の送信のために第１の周波数、及びＳＩＢの第２の送信のために第２の周波数）。周波数ホッピングのパラメータは、予め定められても良く、又はより上位レイヤのシグナリングを用いてＵＥ１０８のためにｅＮＢ１０４により設定されても良い。
【００３６】
ＳＩＢ、ＲＡＲメッセージ、及び／又はページングメッセージのような共通制御メッセージの繰り返し送信は、ＥＰＤＣＣＨ−ｌｅｓｓ動作を用いて送信される共通制御メッセージに限定されなくても良い。したがって、幾つかの実施形態では、共通制御メッセージの繰り返し送信は、共通制御メッセージがＰＤＣＣＨ又はＥＰＤＣＣＨを用いて動的にスケジューリングされるとき、使用されても良い。ＰＤＣＣＨ又はＥＰＤＣＣＨのスケジューリングも、時間内に繰り返しにより送信されても良い。
【００３７】
上述のように、共通制御メッセージ（例えば、ＳＩＢ、ＲＡＲメッセージ、ページングメッセージ）についてＵＥ１０８に示されるスケジューリング情報は、共通制御メッセージの繰り返し送信に関連する構成情報を含んでも良い。構成情報は、例えば、繰り返しサブフレームの数、繰り返し送信の種類（例えば、チェイス結合又はインクリメンタル冗長度）、繰り返し送信の冗長度バージョン、及び／又は周波数ホッピングのパラメータを有しても良い。
【００３８】
種々の実施形態では、ＵＥ１０８は、ユニキャスト送信のためにＭＴＣリソース（例えば、時間及び周波数リソース）を割り当てられても良い。幾つかの実施形態では、ＭＴＣリソースは、ＵＥ固有であり得る（例えば、ＵＥ１０８について指定される）。ＵＥ固有ＭＴＣリソースは、例えば、ＲＲＣシグナリングにより構成されても良い。代替で、ＵＥ１０８に対して割り当てられるＭＴＣリソースは、セル固有であっても良い（例えば、同じセルに関連するＭＴＣ  ＵＥのために割り当てられる）。セル固有ＭＴＣリソースは、例えば、ＳＩＢ又はＲＲＣシグナリングにより構成されても良い。
【００３９】
幾つかの実施形態では、ＭＴＣ  ＵＥ又は非ＭＴＣ  ＵＥに対してかに拘わらず、ｅＮＢ１０４はＰＤＣＣＨ又はＥＰＤＣＣＨを送信しても良い。ＵＥ１０８は、ＵＥ固有及び／又は共通探索空間において、それぞれ全ての可能なＰＤＣＣＨ候補又はＥＰＤＣＣＨ候補のＰＤＣＣＨ又はＥＰＤＣＣＨを復号化することを試みても良い（ブラインド復号化試行として参照される）。ＰＤＣＣＨ候補及びＥＰＤＣＣＨ候補は、ｅＮＢ１０４がＰＤＣＣＨ又はＥＰＤＣＣＨを送信し得るＣＣＥグループに対応しても良い。ＰＤＣＣＨ候補及びＥＰＤＣＣＨ候補は、所定のアルゴリズムに従い決定されても良く、ＰＤＣＣＨ又はＥＰＤＣＣＨのアグリゲーションレベルに依存しても良い。例えば、表１（３GPP  Technical  Specification  ３６.２１３のTable９.１.１−１から適応された）は、幾つかの実施形態に従い、異なるアグリゲーションレベルについてＵＥ固有及び共通探索空間の中のＵＥにより監視され得るＰＤＣＣＨ候補を示す。
【００４０】
［表１］
【００４１】
【表１】
2017528980.tif 000003
同様に、ＵＥは、異なるアグリゲーションレベルを有する且つＵＥ固有及び／又は共通探索区間の中のＥＰＤＣＣＨ候補を監視しても良い。したがって、ＵＥ１０８は、ＰＤＣＣＨ候補及び／又はＥＰＤＣＣＨ候補の全部を監視するために、多数のブラインド復号化試行を行う必要がある場合がある。ブラインド復号化試行は、多くの電力消費を招く場合がある。
【００４２】
幾つかの実施形態では、アグリゲーションレベルサブセットがＵＥ１０８について定められても良く、ＵＥ１０８は、アグリゲーションレベルサブセットに関連するＰＤＣＣＨ候補又はＥＰＤＣＣＨ候補に対してブラインド復号化試行を行っても良い。ＵＥ１０８は、アグリゲーションレベルサブセットに含まれないアグリゲーションレベルに関連する候補についてはブラインド復号化試行を行う必要がない。
【００４３】
幾つかの実施形態では、アグリゲーションレベルサブセットは、ＵＥ１０８について予め定められても良い。例えば、低減した帯域幅を有するＭＴＣ  ＵＥは、他のＵＥ（例えば、ＨＴＣ  ＵＥ）により使用される全アグリゲーションレベルよりも少数を含むアグリゲーションレベルサブセットを、ブラインド復号化試行のため用いるよう予め定められても良い。
【００４４】
代替又は追加で、ｅＮＢ１０４は、シグナリングにより、ＵＥ１０８のアグリゲーションレベルサブセットを構成しても良い。例えば、ｅＮＢ１０４は、ＰＤＣＣＨ又はＥＰＤＣＣＨ候補のブラインド復号化試行のために使用すべきアグリゲーションレベルサブセットをＵＥ１０８に示す、ＳＩＢ又はＲＣシグナリングのような、より上位のシグナリングをＵＥ１０８へ送信しても良い。
【００４５】
幾つかの実施形態では、ｅＮＢ１０４は、１又は複数のパラメータに基づき、ＵＥ１０８のためのアグリゲーションレベルサブセットに含まれるアグリゲーションレベルを動的に調整しても良い。例えば、ｅＮＢ１０４は、ＵＥ１０８の場所（例えば、ＵＥ１０８がセル端の近くに居るか否か）、ＵＥ１０８から受信した受信信号受信電力（ＲＳＲＰ）／経路損失測定レポートに基づき、アグリゲーションレベルサブセットの中に含まれるべき１又は複数のアグリゲーションレベルを決定しても良い。例えば、ｅＮＢ１０４は、ＵＥ１０８がセル中心に又はその近くに位置することを決定すると、ｅＮＢ１０４は、低いアグリゲーションレベル（例えば、１及び２個のＣＣＥを含むアグリゲーションレベル）によりＵＥ１０８を構成しても良い。これに対し、ｅＮＢ１０４は、ＵＥ１０８が粗悪な無線リンク状態を経験していることを決定すると、ｅＮＢ１０４は、高いアグリゲーションレベル（例えば、４又は８個のＣＣＥ（及び／又はＥＰＤＣＣＨの場合には１６個のＣＣＥ）を含むアグリゲーションレベル）によりＵＥ１０８を構成しても良い。
【００４６】
追加又は代替で、アグリゲーションレベルサブセットに含まれるアグリゲーションレベルは、ＵＥ１０８が通常カバレッジモード又は拡張カバレッジモードであるかに基づき、決定されても良い。
【００４７】
種々の実施形態において、アグリゲーションレベルサブセットは、ＵＥ１０８により行われるブラインド復号化試行の回数を削減し、それにより電力消費を削減できる。幾つかの実施形態では、アグリゲーションレベルサブセットは、ＭＴＣ  ＵＥに加えて又はその代わりに、非ＭＴＣ  ＵＥのために使用されても良い。
【００４８】
図２は、種々の実施形態による、ＥＰＤＣＣＨ−ｌｅｓｓ動作のためにＵＥ（例えばＵＥ１０８）により実行され得る方法２００を示す。幾つかの実施形態では、ＵＥは、実行されるとＵＥに方法２００を実行させる命令を格納された１又は複数の非一時的コンピュータ可読媒体を有しても良い。
【００４９】
方法２００の２０４で、ＵＥは、共通制御メッセージのためのＰＤＳＣＨの時間及び周波数リソースを示すスケジューリング情報を含むＭＩＢをＰＢＣＨで受信しても良い。共通制御メッセージは、例えば、ＳＩＢ、ＲＡＲメッセージ、及び／又はページングメッセージであっても良い。スケジューリング情報は、例えば、共通制御メッセージの送信のために使用されるサブフレームのビットマップ、（例えば、ＳＦＮ０に対する）共通制御メッセージの開始サブフレーム、共通制御メッセージの周期、共通制御メッセージの周波数位置、共通制御メッセージのＭＣＳ、及び／又は共通制御メッセージの繰り返し送信に関連する構成情報（例えば、繰り返しサブフレーム数、繰り返し送信の種類（例えば、チェイス結合又はインクリメンタル冗長度）、繰り返し送信の冗長度バージョン、及び／又は周波数ホッピングのパラメータ）、のうちの１又は複数を有しても良い。
【００５０】
方法２００の２０８で、ＵＥは、時間及び周波数リソースの中で共通制御メッセージを受信しても良い。ＭＩＢ及び／又は共通制御メッセージは、ｅＮＢ（例えばｅＮＢ１０４）から受信されても良い。
【００５１】
幾つかの実施形態では、ＭＩＢはＳＩＢ１のスケジューリング情報を有しても良く、ＳＩＢ１はＳＩＢ２及び／又は１又は複数の他のＳＩＢのスケジューリング情報を有しても良く、ＳＩＢ２は、ＲＡＲメッセージ、ページングメッセージ、及び／又は１又は複数の他のＳＩＢのスケジューリング情報を有しても良い。他のスケジューリング方式が他の実施形態において使用されても良いことが明らかである。
【００５２】
図３は、種々の実施形態による、ＥＰＤＣＣＨ−ｌｅｓｓ動作のためにｅＮＢ（例えばｅＮＢ１０４）により実行され得る方法３００を示す。幾つかの実施形態では、ｅＮＢは、実行されるとｅＮＢに方法３００を実行させる命令を格納された１又は複数の非一時的コンピュータ可読媒体を有しても良い。
【００５３】
方法３００の３０４で、ｅＮＢは、ＲＡＲメッセージ又はページングメッセージのための、無線通信ネットワークの時間及び周波数リソースを決定しても良い。
【００５４】
方法３００の３０８で、ｅＮＢは、ＲＡＲメッセージ又はページングメッセージのための時間及び周波数リソースを示すスケジューリング情報を含むＳＩＢを生成しても良い。スケジューリング情報は、例えば、ＵＥからの物理ランダムアクセスチャネル（ＰＲＡＣＨ）プリアンブル送信又はページングメッセージのタイミングに対するＲＡＲメッセージの送信のために使用されるサブフレームのビットマップ、（例えば、ＳＦＮ０に対する）ＲＡＲメッセージ又はページングメッセージの開始サブフレーム、）ＲＡＲメッセージ又はページングメッセージの周期、）ＲＡＲメッセージ又はページングメッセージの周波数位置、）ＲＡＲメッセージ又はページングメッセージのＭＣＳ、及び／又は）ＲＡＲメッセージ又はページングメッセージの繰り返し送信に関連する構成情報（例えば、繰り返しサブフレーム数、繰り返し送信の種類（例えば、チェイス結合又はインクリメンタル冗長度）、繰り返し送信の冗長度バージョン、及び／又は周波数ホッピングのパラメータ）、のうちの１又は複数を有しても良い。
【００５５】
方法３００の３１２で、ｅＮＢは、ＵＥがＲＡＲメッセージ又はページングメッセージを使用できるように、ＵＥ（例えばＵＥ１０８）へＳＩＢを送信しても良い。
【００５６】
図４は、種々の実施形態による、ＥＰＤＣＣＨ−ｌｅｓｓ動作のためにＵＥ（例えばＵＥ１０８）により実行され得る別の方法４００を示す。幾つかの実施形態では、ＵＥは、実行されるとＵＥに方法４００を実行させる命令を格納された１又は複数の非一時的コンピュータ可読媒体を有しても良い。
【００５７】
方法４００の４０４で、ＵＥは、システム情報ブロック（ＳＩＢ）、ランダムアクセス応答（ＲＡＲ）メッセージ、又はページングメッセージのための、ＰＤＳＣＨの中の時間及び周波数リソースを、物理セルＩＤ、システムフレーム番号（ＳＦＮ）、サブフレーム番号、スロット番号、対応する無線ネットワーク一時的識別子（ＲＮＴＩ）、又は該時間及び周波数リソースに関連する通信の種類に基づき、決定しても良い。
【００５８】
方法４００の４０８で、ＵＥは、決定された時間及び周波数リソースの中のＳＩＢ、ＲＡＲメッセージ、又はページングメッセージを得ても良い。
【００５９】
幾つかの実施形態では、ＵＥは、時間及び周波数リソースの時間位置を、該時間及び周波数リソースに関連付けられた通信の種類に基づき、決定し、並びに、時間及び周波数リソースの周波数位置を、物理セルＩＤ、システムフレーム番号（ＳＦＮ）、サブフレーム番号、スロット番号、対応する無線ネットワーク一時的識別子（ＲＮＴＩ）、又は該時間及び周波数リソースに関連付けられた通信の種類に基づき、決定しても良い。
【００６０】
図５は、種々の実施形態による、ｅＮＢ（例えばｅＮＢ１０４）により実行され得る方法５００を示す。幾つかの実施形態では、ｅＮＢは、実行されるとｅＮＢに方法５００を実行させる命令を格納された１又は複数の非一時的コンピュータ可読媒体を有しても良い。
【００６１】
方法５００の５０４で、ｅＮＢは、（例えば、非ＭＴＣ  ＵＥ及び／又はＨＴＣ  ＵＥのような全帯域幅ＵＥのために）ＥＰＤＣＣＨを送信するために使用されるアグリゲーションレベルセットを識別しても良い。ｅＮＢは、非ＭＴＣ  ＵＥ及び／又は全帯域幅ＵＥのためのＥＰＤＣＣＨを、識別されたアグリゲーションレベルセットからのアグリゲーションレベルに関連するＥＰＤＣＣＨ候補で送信しても良い。
【００６２】
方法５００の５０８で、ｅＮＢは、アグリゲーションレベルセットからアグリゲーションレベルサブセットを識別しても良い。アグリゲーションレベルサブセットは、ＥＰＤＣＣＨを１又は複数のＵＥ（例えばＵＥ１０８）へ送信するために使用されても良い。幾つかの実施形態では、アグリゲーションレベルサブセットは、低減した帯域幅を有するＭＴＣ  ＵＥ及び／又は拡張カバレッジモードであるＵＥのために使用されても良い。幾つかの実施形態では、ｅＮＢは、１又は複数のＵＥに関連するＲＳＲＰ／経路損失測定レポートに基づき、アグリゲーションレベルサブセットに含まれるアグリゲーションレベルを決定しても良い。
【００６３】
方法５００の５１２で、ｅＮＢは、アグリゲーションレベルサブセットのアグリゲーションレベルに関連するＥＰＤＣＣＨ候補で、１又は複数のＵＥへＥＰＤＣＣＨを送信しても良い。幾つかの実施形態では、ｅＮＢは、１又は複数のＵＥへ、アグリゲーションレベルサブセットを示す構成情報を送信しても良い。
【００６４】
方法５００はＥＰＤＣＣＨを参照して記載されたが、方法５００は追加又は代替でＰＤＣＣＨのために使用されても良い。
【００６５】
本願明細書に記載のＵＥ１０８及び／又はｅＮＢ１０４は、必要に応じて構成される任意の適切なハードウェア、ファームウェア及び／又はソフトウェアを用いるシステムに実装されても良い。例えば、図６は、一実施形態について、ＵＥ（例えばＵＥ１０８）又はｅＮＢ（例えばｅＮＢ１０４）に対応し得る例示的なシステム６００を示す。追加又は代替で、システム６００は、本願明細書に記載のプロセスのうちの１又は複数（例えば、方法２００、３００、４００、及び／又は５００）を実行するよう適応されても良い。システム６００は、少なくとも図示のように互いに結合される、無線周波数（ＲＦ）回路６０４、ベースバンド回路６０８、アプリケーション回路６１２、メモリ／記憶装置６１６、ディスプレイ６２０、カメラ６２４、センサ６２８、及び入力／出力（Ｉ／Ｏ）インタフェース６３２、を有しても良い。
【００６６】
アプリケーション回路６１２は、１又は複数のシングルコア又はマルチコアプロセッサのような回路を有しても良いが、これに限定されない。プロセッサは、汎用プロセッサ及び専用プロセッサ（例えば、グラフィックプロセッサ、アプリケーションプロセッサ、等）の任意の組合せを有しても良い。プロセッサは、メモリ／記憶装置６１６に結合され、メモリ／記憶装置６１６に格納された命令を実行して、システム６００で実行する種々のアプリケーション及び／又はオペレーティングシステムを有効にするよう構成されても良い。
【００６７】
ベースバンド回路６０８は、１又は複数のシングルコア又はマルチコアプロセッサのような回路を有しても良いが、これに限定されない。プロセッサは、ベースバンドプロセッサを有しても良い。ベースバンド回路６０８は、ＲＦ回路６０４を介して１又は複数の無線ネットワークとの通信を有効にする種々の無線制御機能を処理しても良い。無線制御機能は、限定ではないが、信号変調、符号化、復号化、無線周波数シフト、等を有しても良い。幾つかの実施形態では、ベースバンド回路６０８は、１又は複数の無線技術と互換性のある通信を提供しても良い。例えば、幾つかの実施形態では、ベースバンド回路６０８は、Ｅ−ＵＴＲＡＮ及び／又は他の無線都市域ネットワーク（ＷＭＡＮ）、無線ローカルエリアネットワーク（ＷＬＡＮ）、又は無線個人域ネットワーク（ＷＰＡＮ）との通信をサポートしても良い。ベースバンド回路６０８が１より多くの無線プロトコルの無線通信をサポートするよう構成される実施形態は、マルチモードベースバンド回路として参照され得る。
【００６８】
種々の実施形態では、ベースバンド回路６０８は、ベースバンド周波数にあると厳密に考えられない信号により動作する回路を含み得る。例えば、幾つかの実施形態では、ベースバンド回路６０８は、ベースバンド周波数と無線周波数との間にある中間周波数を有する信号により動作する回路を有しても良い。
【００６９】
幾つかの実施形態では、通信回路１２４及び／又は制御回路１１２は、アプリケーション回路６１２及び／又はベースバンド回路６０８の中に実装されても良い。代替で、通信回路１２４は、ＲＦ回路の中に実装されても良い。
【００７０】
ＲＦ回路６０４は、非固体媒体を通じる変調電磁放射を用いる無線ネットワークとの通信を可能にできる。種々の実施形態において、ＲＦ回路６０４は、無線ネットワークとの通信を実現するために、スイッチ、フィルタ、増幅器、等を有しても良い。
【００７１】
種々の実施形態では、ＲＦ回路６０４は、無線周波数にあると厳密に考えられない信号により動作する回路を含み得る。例えば、幾つかの実施形態では、ＲＦ回路６０４は、ベースバンド周波数と無線周波数との間にある中間周波数を有する信号により動作する回路を有しても良い。
【００７２】
幾つかの実施形態では、ベースバンド回路６０８、アプリケーション回路６１２、及び／又はメモリ／記憶装置６１６の構成要素うちの一部又は全部は、システムオンチップ（ＳＯＣ）に一緒に実装されても良い。
【００７３】
メモリ／記憶装置６１６は、データ及び／又は命令、例えばシステム６００に本願明細書に記載のプロセス（例えば、方法２００、３００、４００、及び／又は５００）の任意の部分を実行させる命令６１０をロードし及び格納するために使用されても良い。
【００７４】
一実施形態のメモリ／記憶装置６１６は、適切な揮発性メモリ（例えば、ダイナミックランダムアクセスメモリ（ＤＲＡＭ））及び／又は不揮発性メモリ（例えば、フラッシュメモリ）の任意の組合せを有しても良い。
【００７５】
種々の実施形態では、Ｉ／Ｏインタフェース６３２は、システム６００とのユーザ相互作用を可能にするよう設計される１又は複数のユーザインタフェース、及び／又はシステム６００との周辺機器コンポーネント相互作用を可能にするよう設計される周辺機器コンポーネントインタフェースを有しても良い。ユーザインタフェースは、限定ではないが、物理キーボード又はキーパッド、タッチパッド、スピーカ、マイクロフォン、等を有しても良い。周辺機器コンポーネントインタフェースは、限定ではないが、不揮発性メモリポート、ＵＳＢ（universal  serial  bus）ポート、オーディオジャック、及び電源インタフェースを有しても良い。
【００７６】
種々の実施形態では、センサ６２８は、システム６００に関連する環境条件及び／又は位置情報を決定するために、１又は複数のセンサ装置を有しても良い。幾つかの実施形態では、センサは、ジャイロセンサ、加速度計、近傍センサ、周囲光センサ、及び位置決めユニットを含み得るが、これらに限定されない。位置決めユニットは、位置決めネットワーク、例えばＧＰＳ（global  positioning  system）衛星のコンポーネントと通信するためにベースバンド回路６０８及び／又はＲＦ回路６０４の一部であり、又はそれと相互作用しても良い。
【００７７】
種々の実施形態では、ディスプレイ６２０は、ディスプレイ（例えば、液晶ディスプレイ、タッチスクリーンディスプレイ、等）を有しても良い。
【００７８】
幾つかの実施形態では、システム６００は、限定ではないが、スマート計測装置、支払い装置（例えば、「都度払い（pay−as−you−drive）」装置）、自動販売機、テレマティクスシステム（例えば、車両の追尾及び追跡のために適応されるシステム）、家電機器、セキュリティシステム（例えば、監視装置）、等のような、ＭＴＣ動作に適応されるコンピューティング装置であっても良い。代替又は追加で、システム６００は、ラップトップコンピューティング装置、タブレットコンピューティング装置、ノートブック、ウルトラブック、スマートフォン、等のようなＨＴＣ動作に適応されるモバイルコンピューティング装置であっても良いが、これらに限定されない。種々の実施形態では、システム６００は、より多くの又はより少ないコンポーネント及び／又は異なるアーキテクチャを有しても良い。
【００７９】
以下に、幾つかの非限定的な例が与えられる。
【００８０】
例１は、ユーザ機器（ＵＥ）において用いられる装置であって、前記装置は、無線周波数（ＲＦ）回路に、無線通信ネットワークを介してｅＮＢ（ｅｖｏｌｖｅｄ  Ｎｏｄｅ  Ｂ）と通信させる通信回路と、前記通信回路に結合される制御回路であって、前記通信回路を介して、システム情報ブロック（ＳＩＢ）の物理ダウンリンク共有チャネル（ＰＤＳＣＨ）の時間及び周波数リソースを示すためにスケジューリング情報を含む物理ブロードキャストチャネル（ＰＢＣＨ）でマスタ情報ブロック（ＭＩＢ）を受信し、前記スケジューリング情報に基づき、前記ＰＤＳＣＨの前記時間及び周波数リソースの中で前記ＳＩＢを受信する、制御回路と、を有する装置である。
【００８１】
例２は、前記ＳＩＢは第１のＳＩＢであり、前記時間及び周波数リソースは、第１の時間及び周波数リソースであり、前記第１のＳＩＢは、第２のＳＩＢのための第２の時間及び周波数リソースを示すためのスケジューリング情報を含み、前記制御回路は、さらに、前記第２のＳＩＢの前記スケジューリング情報に基づき、前記第２の時間及び周波数リソースの中で前記第２のＳＩＢを受信する、例１に記載のＵＥである。
【００８２】
例３は、前記ＭＩＢ、ＳＩＢ又は別のＳＩＢは、ランダムアクセス応答（ＲＡＲ）又はページングメッセージのための時間及び周波数リソースを少なくとも部分的に示すための情報を含み、前記制御回路は、前記情報に基づき前記ＲＡＲリソース又はページングメッセージを利用する、例１に記載のＵＥである。
【００８３】
例４は、前記制御回路は、前記通信回路を介して、共通探索空間において拡張物理ダウンリンク制御チャネル（Ｅ）ＰＤＣＣＨを受信し、前記（Ｅ）ＰＤＣＣＨは、ランダムアクセス応答（ＲＡＲ）リソース又はページングメッセージをスケジューリングするための情報を含む、例１に記載のＵＥである。
【００８４】
例５は、前記ＵＥは、機械型通信（ＭＴＣ）ＵＥである、例１に記載のＵＥである。
【００８５】
例６は、前記受信したＳＩＢは、前記ＳＩＢの第１のインスタンスであり、前記制御回路は、さらに、前記ＳＩＢの第２のインスタンスを受信し、チェイス結合又はインクリメンタル冗長度を用いて、前記ＳＩＢの前記第１及び第２のインスタンスに基づき、前記ＳＩＢを復号する、例１乃至５のいずれか一項に記載のＵＥである。
【００８６】
例７は、前記制御回路は、さらに、前記制御回路が前記ＳＩＢを復号化するためにチェイス結合又はインクリメンタル冗長度を使用すべきかを示す指示子を受信する、例６に記載のＵＥである。
【００８７】
例８は、前記指示子は、冗長度バージョンパターンを含む、例６に記載のＵＥである。
【００８８】
例９は、前記スケジューリング情報は、前記ＳＩＢの送信のために使用されるサブフレームのビットマップ、前記ＳＩＢの開始サブフレーム、前記ＳＩＢの周期、前記ＳＩＢの周波数位置、前記ＳＩＢのために使用されるべき多重化及び符号化方式（ＭＣＳ）、又は前記ＳＩＢの繰り返し送信の構成を含む、例１に記載のＵＥである。
【００８９】
例１０は、格納された命令を有する１又は複数の非一時的コンピュータ可読媒体であって、前記命令は、実行されると、ｅＮＢ（ｅｖｏｌｖｅｄ  Ｎｏｄｅ  Ｂ）に、ランダムアクセス応答（ＲＡＲ）メッセージ又はページングメッセージのための無線通信ネットワークの時間及び周波数リソースを決定させ、前記ＲＡＲメッセージ又はページングメッセージのための前記時間及び周波数リソースを少なくとも部分的に示す情報を含むシステム情報ブロック（ＳＩＢ）を生成させ、ユーザ機器（ＵＥ）が前記ＲＡＲメッセージ又はページングメッセージを使用できるように、前記ＵＥに前記ＳＩＢを送信させる、１又は複数の非一時的コンピュータ可読媒体である。
【００９０】
例１１は、前記ＳＩＢはＳＩＢ２である、例１０に記載の１又は複数の媒体である。
【００９１】
例１２は、前記命令は、実行されると、さらに、前記ｅＮＢに、前記ＵＥへの前記ＳＩＢの繰り返し送信をさせる、例１０に記載の１又は複数の媒体である。
【００９２】
例１３は、前記命令は、実行されると、さらに、前記ｅＮＢに、前記ＵＥが前記ＳＩＢを復号するためにチェイス結合又はインクリメンタル冗長度を使用すべきか否かを示す指示子を送信させる、例１２に記載の１又は複数の媒体である。
【００９３】
例１４は、前記命令は、実行されると、さらに、前記ｅＮＢに、前記ＳＩＢの前記繰り返し送信に関連付けられる冗長性バージョンパターンを送信させる、例１２に記載の１又は複数の媒体である。
【００９４】
例１５は、前記時間及び周波数リソースは、第１の時間及び周波数リソースであり、前記命令は、実行されると、さらに、前記ｅＮＢに、前記ＳＩＢ又は別のＳＩＢのための第２の時間及び周波数リソースを少なくとも部分的に示すスケジューリング情報を含むマスタ情報ブロック（ＭＩＢ）を送信させる、例１０乃至１４のいずれか一項に記載の１又は複数の媒体である。
【００９５】
例１６は、格納された命令を有する１又は複数の非一時的コンピュータ可読媒体であって、前記命令は、実行されると、ユーザ機器（ＵＥ）に、システム情報ブロック（ＳＩＢ）、ランダムアクセス応答（ＲＡＲ）メッセージ、又はページングメッセージのための、ＰＤＳＣＨの中の時間及び周波数リソースを、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連する通信の種類、のうちの１又は複数に少なくとも部分的に基づき、決定させ、前記決定された時間及び周波数リソースの中の前記ＳＩＢ、ＲＡＲメッセージ、又はページングメッセージを監視させる、１又は複数の非一時的コンピュータ可読媒体である。
【００９６】
例１７は、前記命令は、実行されると、さらに、前記ＵＥに、前記時間及び周波数リソースに関連付けられた前記通信の種類に基づき、前記時間及び周波数リソースの時間位置を決定させ、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連付けられた通信の種類に基づき、前記時間及び周波数リソースの周波数位置を決定させる、例１６に記載の１又は複数の媒体である。
【００９７】
例１８は、前記通信の種類はＳＩＢ型である、例１７に記載の１又は複数の媒体である。
【００９８】
例１９は、前記通信の種類はＲＡＲメッセージ型である、例１７に記載の１又は複数の媒体である。
【００９９】
例２０は、前記通信の種類はページングメッセージ型である、例１７に記載の１又は複数の媒体である。
【０１００】
例２１は、前記命令は、実行されると、前記ＵＥに、前記ＳＩＢ、ＲＡＲメッセージ、又はページングメッセージの繰り返し送信を獲得させる、例１６乃至２０のいずれか一項に記載の１又は複数の媒体である。
【０１０１】
例２２は、ｅＮＢ（ｅｖｏｌｖｅｄ  Ｎｏｄｅ  Ｂ）において用いられる装置であって、前記装置は、無線周波数（ＲＦ）回路に、無線通信ネットワークを介してユーザ機器（ＵＥ）と通信させる通信回路と、前記通信回路に結合される制御回路であって、拡張物理ダウンリンク制御チャネル（ＥＰＤＣＣＨ）を送信するために使用されるアグリゲーションレベルセットを識別し、ユーザ機器（ＵＥ）について、前記アグリゲーションレベルセットからアグリゲーションレベルサブセットを決定し、前記通信回路を介して、前記アグリゲーションレベルサブセットのアグリゲーションレベルに関連付けられたＥＰＤＣＣＨで、前記ＵＥへＥＰＤＣＣＨを送信する、制御回路と、を有する装置である。
【０１０２】
例２３は、前記制御回路は、前記ＵＥへ前記通信回路を介して、前記アグリゲーションレベルサブセットを示す構成情報を送信する、例２２に記載のｅＮＢである。
【０１０３】
例２４は、前記制御回路は、前記ＵＥに関連する位置又は受信信号受信電力経路損失測定レポートに基づき、前記アグリゲーションレベルサブセットを決定する、例２２に記載のｅＮＢである。
【０１０４】
例２５は、前記ＵＥは、機械型通信ＵＥである、例２２乃至２４のいずれか一項に記載のｅＮＢである。
【０１０５】
以上の詳細な説明の幾つかの部分は、コンピュータメモリ内のデータビットに対する操作のアルゴリズム及び象徴的表現の観点で提供される。これらのアルゴリズムの説明及び表現は、データ処理技術の当業者により、業務内容を最も効率的に他の当業者に伝えるために用いられる手段である。アルゴリズムは、ここでは及び概して、所望の結果を生じる自己矛盾のない動作シーケンスであると考えられる。動作は、物理量の物理的操作を必要とするステップである。
【０１０６】
しかしながら、これらの及び類似の語の全ては、適切な物理量に関連付けられ、これらの量に適用される便宜的ラベルに過ぎない。特に断りのない限り、上述の議論から明らかなように、説明を通じて、以下の請求の範囲の中に示される用語のような語を用いた議論は、コンピュータシステム又は同様の電子コンピューティング装置の動作及び処理を表す。コンピュータシステム又は同様の電子コンピューティング装置は、コンピュータシステムのレジスタ及びメモリ内にある物理（電子）量として表されたデータを操作し、コンピュータシステムのメモリ若しくはレジスタ又は情報記憶、送信又は表示装置等の中の物理量として同様に表される他のデータに変換する。
【０１０７】
本発明の実施形態は、本願明細書の動作を実行する装置にも関する。このようなコンピュータプログラムは、非一時的コンピュータ可読媒体に格納される。機械可読媒体は、機械（例えば、コンピュータ）により読み取り可能な形式で情報を格納する任意の機構も含む。例えば、機械可読（例えばコンピュータ可読）媒体は、機械（例えばコンピュータ）可読記憶媒体（例えば、読み出し専用メモリ（ＲＯＭ）、ランダムアクセスメモリ（ＲＡＭ）、磁気ディスク記憶媒体、光学記憶媒体、フラッシュメモリ装置）を含む。
【０１０８】
前述の図面に示されたプロセス又は方法は、ハードウェア（例えば、回路、専用ロジック、等）を有する処理ロジック、ソフトウェア（例えば、非一時的コンピュータ可読媒体に具現化される）、又は両者の組合せにより、実行され得る。プロセス又は方法は、幾つかの逐次的動作の観点で上述されたが、記載の動作のうちの幾つかは、異なる順序で実行され得ることが理解されるべきである。さらに、幾つかの動作は、逐次的ではなく並列に実行され得る。
【０１０９】
本発明の実施形態は、任意の特定のプログラミング言語を参照して記載されない。理解されるべきことに、種々のプログラミング言語が、本願明細書に記載の本発明の実施形態の教示を実施するために使用できる。前述の明細書では、本発明の実施形態は、その特定の例示的な実施形態を参照して記載された。添付の請求の範囲に記載された本発明の広範な精神及び範囲から逸脱することなく種々の変更を行うことができることが明らかである。したがって、本明細書及び図面は限定的ではなく例示的であると解釈すべきである。
【図１】
2017528980.tif 000004
【図２】
2017528980.tif 000005
【図３】
2017528980.tif 000006
【図４】
2017528980.tif 000007
【図５】
2017528980.tif 000008
【図６】
2017528980.tif 000009
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において用いられる装置であって、前記装置は、
無線周波数（ＲＦ）回路に、無線通信ネットワークを介してｅＮＢ（ｅｖｏｌｖｅｄ  Ｎｏｄｅ  Ｂ）と通信させる通信回路と、
前記通信回路に結合される制御回路であって、
前記通信回路を介して、システム情報ブロック（ＳＩＢ）の物理ダウンリンク共有チャネル（ＰＤＳＣＨ）の時間及び周波数リソースを示すためにスケジューリング情報を含む物理ブロードキャストチャネル（ＰＢＣＨ）でマスタ情報ブロック（ＭＩＢ）を受信し、
前記スケジューリング情報に基づき、前記ＰＤＳＣＨの前記時間及び周波数リソースの中で前記ＳＩＢを受信する、
制御回路と、
を有する装置。
【請求項２】
前記ＳＩＢは第１のＳＩＢであり、前記時間及び周波数リソースは、第１の時間及び周波数リソースであり、前記第１のＳＩＢは、第２のＳＩＢのための第２の時間及び周波数リソースを示すためのスケジューリング情報を含み、前記制御回路は、さらに、前記第２のＳＩＢの前記スケジューリング情報に基づき、前記第２の時間及び周波数リソースの中で前記第２のＳＩＢを受信する、請求項１に記載の装置。
【請求項３】
前記ＭＩＢ、ＳＩＢ又は別のＳＩＢは、ランダムアクセス応答（ＲＡＲ）又はページングメッセージのための時間及び周波数リソースを少なくとも部分的に示すための情報を含み、前記制御回路は、前記情報に基づき前記ＲＡＲリソース又はページングメッセージを利用する、請求項１に記載の装置。
【請求項４】
前記制御回路は、前記通信回路を介して、共通探索空間において拡張物理ダウンリンク制御チャネル（Ｅ）ＰＤＣＣＨを受信し、前記（Ｅ）ＰＤＣＣＨは、ランダムアクセス応答（ＲＡＲ）リソース又はページングメッセージをスケジューリングするための情報を含む、請求項１に記載の装置。
【請求項５】
前記ＵＥは、機械型通信（ＭＴＣ）ＵＥである、請求項１に記載の装置。
【請求項６】
前記受信したＳＩＢは、前記ＳＩＢの第１のインスタンスであり、前記制御回路は、さらに、
前記ＳＩＢの第２のインスタンスを受信し、チェイス結合又はインクリメンタル冗長度送信を用いて、前記ＳＩＢの前記第１及び第２のインスタンスに基づき、前記ＳＩＢを復号する、
請求項１乃至５のいずれか一項に記載の装置。
【請求項７】
前記制御回路は、さらに、前記制御回路が前記ＳＩＢを復号するためにチェイス結合又はインクリメンタル冗長度送信を使用すべきか否かを示す指示子を受信する、請求項６に記載の装置。
【請求項８】
前記指示子は、冗長度バージョンパターンを含む、請求項６に記載の装置。
【請求項９】
前記スケジューリング情報は、前記ＳＩＢの送信のために使用されるサブフレームのビットマップ、前記ＳＩＢの開始サブフレーム、前記ＳＩＢの周期、前記ＳＩＢの周波数位置、前記ＳＩＢのために使用されるべき多重化及び符号化方式（ＭＣＳ）、又は前記ＳＩＢの繰り返し送信の構成を含む、請求項１に記載の装置。
【請求項１０】
コンピュータプログラムであって、ｅＮＢ（ｅｖｏｌｖｅｄ  Ｎｏｄｅ  Ｂ）に、
ランダムアクセス応答（ＲＡＲ）メッセージ又はページングメッセージのための無線通信ネットワークの時間及び周波数リソースを決定させ、
前記ＲＡＲメッセージ又はページングメッセージのための前記時間及び周波数リソースを少なくとも部分的に示す情報を含むシステム情報ブロック（ＳＩＢ）を生成させ、
ユーザ機器（ＵＥ）が前記ＲＡＲメッセージ又はページングメッセージを使用できるように、前記ＵＥに前記ＳＩＢを送信させる、
コンピュータプログラム。
【請求項１１】
前記ＳＩＢはＳＩＢ２である、請求項１０に記載のコンピュータプログラム。
【請求項１２】
さらに、前記ｅＮＢに、前記ＵＥへの前記ＳＩＢの繰り返し送信をさせる、請求項１０に記載のコンピュータプログラム。
【請求項１３】
さらに、前記ｅＮＢに、前記ＵＥが前記ＳＩＢを復号するためにチェイス結合又はインクリメンタル冗長度送信を使用すべきか否かを示す指示子を送信させる、請求項１２に記載のコンピュータプログラム。
【請求項１４】
さらに、前記ｅＮＢに、前記ＳＩＢの前記繰り返し送信に関連付けられる冗長度バージョンパターンを送信させる、請求項１２に記載のコンピュータプログラム。
【請求項１５】
前記時間及び周波数リソースは、第１の時間及び周波数リソースであり、前記コンピュータプログラムは、さらに、前記ｅＮＢに、前記ＳＩＢ又は別のＳＩＢのための第２の時間及び周波数リソースを少なくとも部分的に示すスケジューリング情報を含むマスタ情報ブロック（ＭＩＢ）を送信させる、請求項１０乃至１４のいずれか一項に記載のコンピュータプログラム。
【請求項１６】
コンピュータプログラムであって、ユーザ機器（ＵＥ）に、
システム情報ブロック（ＳＩＢ）、ランダムアクセス応答（ＲＡＲ）メッセージ、又はページングメッセージのための、ＰＤＳＣＨの中の時間及び周波数リソースを、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連する通信の種類、のうちの１又は複数に少なくとも部分的に基づき、決定させ、
前記決定された時間及び周波数リソースの中の前記ＳＩＢ、ＲＡＲメッセージ、又はページングメッセージを監視させる、
コンピュータプログラム。
【請求項１７】
さらに、前記ＵＥに、前記時間及び周波数リソースに関連付けられた前記通信の種類に基づき、前記時間及び周波数リソースの時間位置を決定させ、物理セルＩＤ、システムフレーム番号（ＳＦＮ）、サブフレーム番号、スロット番号、対応する無線ネットワーク一時的識別子（ＲＮＴＩ）、又は前記時間及び周波数リソースに関連付けられた通信の種類に基づき、前記時間及び周波数リソースの周波数位置を決定させる、請求項１６に記載のコンピュータプログラム。
【請求項１８】
前記通信の種類はＳＩＢ型である、請求項１７に記載のコンピュータプログラム。
【請求項１９】
前記通信の種類はＲＡＲメッセージ型である、請求項１７に記載のコンピュータプログラム。
【請求項２０】
前記通信の種類はページングメッセージ型である、請求項１７に記載のコンピュータプログラム。
【請求項２１】
前記ＵＥに、前記ＳＩＢ、ＲＡＲメッセージ、又はページングメッセージの繰り返し送信を獲得させる、請求項１６乃至２０のいずれか一項に記載のコンピュータプログラム。
【請求項２２】
ｅＮＢ（ｅｖｏｌｖｅｄ  Ｎｏｄｅ  Ｂ）において用いられる装置であって、前記装置は、
無線周波数（ＲＦ）回路に、無線通信ネットワークを介してユーザ機器（ＵＥ）と通信させる通信回路と、
前記通信回路に結合される制御回路であって、
拡張物理ダウンリンク制御チャネル（ＥＰＤＣＣＨ）を送信するために使用されるアグリゲーションレベルセットを識別し、
ユーザ機器（ＵＥ）について、前記アグリゲーションレベルセットからアグリゲーションレベルサブセットを決定し、
前記通信回路を介して、前記アグリゲーションレベルサブセットのアグリゲーションレベルに関連付けられたＥＰＤＣＣＨで、前記ＵＥへＥＰＤＣＣＨを送信する、
制御回路と、
を有する装置。
【請求項２３】
前記制御回路は、前記ＵＥへ前記通信回路を介して、前記アグリゲーションレベルサブセットを示す構成情報を送信する、請求項２２に記載の装置。
【請求項２４】
前記制御回路は、前記ＵＥに関連する位置又は受信信号受信電力経路損失測定レポートに基づき、前記アグリゲーションレベルサブセットを決定する、請求項２２に記載の装置。
【請求項２５】
前記ＵＥは、機械型通信ＵＥである、請求項２２乃至２４のいずれか一項に記載の装置。
【請求項２６】
請求項１０乃至２１のいずれか一項に記載のコンピュータプログラムを記憶したコンピュータ可読記憶媒体。
【国際調査報告】
2017528980.tif 000010
2017528980.tif 000011
2017528980.tif 000012
2017528980.tif 000013